(57)【要約】【課題】画像形成装置の利便性の大幅に向上させることができる情報処理装置、画像形成システム、およびプログラムを提供する。【解決手段】印刷処理を実行する画像形成装置に接続されたＰＣ１０１であって、画像形成装置が有する機能を示す機能情報と、画像形成装置の識別情報と、を対応付けて記憶する記憶部３０４を備え、決定部４０２により所望の仕上がりの印刷処理を実行するための機能を指定する印刷モードを決定し、検索部４０３により記憶部３０４に記憶された識別情報の中から、決定した印刷モードにより指定される機能を示す機能情報と対応付けて記憶された識別情報を検索し、表示部４０４により検索された識別情報を表示する。【選択図】        図４
2010108175.tif 000002
【特許請求の範囲】
【請求項１】
印刷処理を実行する画像形成装置を少なくとも２以上接続可能な情報処理装置であって、
前記各画像形成装置が有する機能を示す機能情報と、前記各画像形成装置の識別情報と、を対応付けて記憶する装置情報記憶手段と、
所望の仕上がりの印刷処理を実行するための機能を指定する印刷モードを決定する決定手段と、
前記装置情報記憶手段に記憶された前記識別情報の中から、決定した前記印刷モードにより指定される機能を示す前記機能情報と対応付けて記憶された前記識別情報を検索する検索手段と、
検索された前記識別情報を表示する表示手段と、
を備えたことを特徴とする情報処理装置。
【請求項２】
前記情報処理装置周辺の地図情報を記憶する地図情報記憶手段と、
前記情報処理装置の現在位置を取得する位置取得手段と、
記憶された前記地図情報を用いて、取得した前記現在位置から、前記画像形成装置の設置場所までの順路を探索する順路探索手段と、をさらに備え、
前記装置情報記憶手段は、さらに、前記画像形成装置の前記識別情報と、前記画像形成装置の設置場所を示す設置場所情報と、を対応付けて記憶し、
前記順路探索手段は、記憶された前記地図情報を用いて、取得した前記現在位置から、検索された前記識別情報と対応付けて記憶された前記設置場所情報が示す前記画像形成装置の設置場所までの順路を探索し、
前記表示手段は、さらに、検索された前記識別情報と対応付けて記憶された前記設置場所情報が示す設置場所、および探索された順路を表示することを特徴とする請求項１に記載の情報処理装置。
【請求項３】
前記表示手段は、複数の前記識別情報が検索された場合、当該複数の識別情報、当該複数の識別情報と対応付けて記憶された前記設置場所情報が示す設置場所、および探索された順路のうち、最短の順路を表示することを特徴とする請求項２に記載の情報処理装置。
【請求項４】
印刷対象の画像データを記憶するデータ記憶手段と、
前記画像形成装置に前記画像データを送信して印刷処理を実行する場合、前記識別情報が表示された前記画像形成装置の中から印刷処理を実行する前記画像形成装置を確定する確定手段と、
前記データ記憶手段から、確定した前記画像形成装置に送信する前記画像データを選択する選択手段と、
選択された前記画像データおよび決定した前記印刷モードを、確定した前記画像形成装置に送信する送信手段と、
をさらに備えたことを特徴とする請求項１から３のいずれか一に記載の情報処理装置。
【請求項５】
前記画像形成装置が備える操作部から前記画像データの印刷処理を指示する場合、前記識別情報が表示された前記画像形成装置の中から印刷処理を実行する前記画像形成装置を確定する確定手段と、
決定した前記印刷モードに印刷番号を採番する採番手段と、
決定した前記印刷モードおよび当該印刷モードに採番された前記印刷番号を確定した前記画像形成装置に送信する送信手段と、
を備えたことを特徴とする請求項１から３のいずれか一に記載の情報処理装置。
【請求項６】
印刷処理を実行する複数の画像形成装置と、前記画像形成装置を少なくとも２以上接続可能な情報処理装置と、を備えた画像形成システムであって、
前記画像形成装置は、
当該画像形成装置が有する機能を示す機能情報と、当該画像形成装置の識別情報と、を前記情報処理装置に送信する送信手段と、
前記情報処理装置は、
前記各画像形成装置から送信された前記機能情報および識別情報を受信する受信手段と、
受信した前記各画像形成装置の前記機能情報と前記識別情報とを対応付けて記憶する装置情報記憶手段と、
所望の仕上がりの印刷処理を実行するための機能を指定する印刷モードを決定する決定手段と、
前記装置情報記憶手段に記憶された前記識別情報の中から、決定した前記印刷モードにより指定される機能を示す前記機能情報と対応付けられた前記識別情報を検索する検索手段と、
検索された前記識別情報を表示する表示手段と、
を備えたことを特徴とする画像形成システム。
【請求項７】
前記画像形成装置は、
前記送信手段は、さらに、当該画像形成装置の設置場所を示す設置場所情報を前記情報処理装置に送信し、
前記情報処理装置は、
前記情報処理装置周辺の地図情報を記憶する地図情報記憶手段と、
前記情報処理装置の現在位置を取得する位置取得手段と、
記憶された前記地図情報を用いて、取得した前記現在位置から、前記画像形成装置の設置場所までの順路を探索する順路探索手段と、をさらに備え、
前記受信手段は、さらに、前記画像形成装置から前記設置場所情報を受信し、
前記装置情報記憶手段は、さらに、前記識別情報と、受信した前記設置場所情報と、を対応付けて記憶し、
前記順路探索手段は、記憶された前記地図情報を用いて、取得した前記現在位置から、検索された前記識別情報と対応付けて記憶された前記設置場所情報が示す前記画像形成装置の設置場所までの順路を探索し、
前記表示手段は、さらに、検索された前記識別情報と対応付けて記憶された前記設置場所情報が示す設置場所、および探索された順路を表示することを特徴とする請求項６に記載の画像形成システム。
【請求項８】
前記情報処理装置は、
前記表示手段は、複数の前記識別情報が検索された場合、当該複数の識別情報、当該複数の識別情報と対応付けて記憶された前記設置場所情報が示す設置場所、および探索された順路のうち、最短の順路を表示することを特徴とする請求項７に記載の画像形成システム。
【請求項９】
前記情報処理装置は、
印刷対象の画像データを記憶するデータ記憶手段と、
前記画像形成装置に前記画像データを送信して印刷処理を実行する場合、前記識別情報が表示された前記画像形成装置の中から印刷処理を実行する前記画像形成装置を確定する確定手段と、
前記データ記憶手段から、確定した前記画像形成装置に送信する前記画像データを選択する選択手段と、
選択された前記画像データおよび決定した前記印刷モードを、確定した前記画像形成装置に送信する送信手段と、をさらに備え、
前記画像形成装置は、
前記情報処理装置から送信された前記画像データおよび前記印刷モードを受信する受信手段と、
受信した前記印刷モードにより指定される機能を用いて、前記画像データの印刷処理を実行する印刷手段と、
をさらに備えたことを特徴とする請求項６から８のいずれか一に記載の画像形成システム。
【請求項１０】
前記情報処理装置は、
前記画像形成装置が備える操作部から前記画像データの印刷処理を指示する場合、前記識別情報が表示された前記画像形成装置の中から印刷処理を実行する前記画像形成装置を確定する確定手段と、
決定した前記印刷モードに印刷番号を採番する採番手段と、
決定した前記印刷モードおよび当該印刷モードに採番された前記印刷番号を確定した前記画像形成装置に送信する送信手段と、をさらに備え、
前記画像形成装置は、
前記情報処理装置から送信された前記印刷モードおよび当該印刷モードに採番された印刷番号を受信する受信手段と、
受信した前記印刷モードと前記印刷番号とを対応付けて記憶する記憶手段と、
印刷番号の入力を受け付ける入力手段と、
前記記憶手段に記憶された前記印刷番号の中から、入力された印刷番号と同一の印刷番号を検索する検索手段と、
検索された印刷番号と対応付けて記憶された前記印刷モードにより指定される機能を用いて、前記画像データの印刷処理を実行する印刷手段と、
をさらに備えたことを特徴とする請求項６から８のいずれか一に記載の画像形成システム。
【請求項１１】
印刷処理を実行する画像形成装置を少なくとも２以上接続可能な情報処理装置を制御するコンピュータを、
前記各画像形成装置が有する機能を示す機能情報と、前記各画像形成装置の識別情報と、を対応付けて記憶する装置情報記憶手段と、
所望の仕上がりの印刷処理を実行するための機能を指定する印刷モードを決定する決定手段と、
前記装置情報記憶手段に記憶された前記識別情報の中から、決定した前記印刷モードにより指定される機能を示す前記機能情報と対応付けて記憶された前記識別情報を検索する検索手段と、
検索された前記識別情報を表示する表示手段と、
として機能させるプログラム。
【請求項１２】
前記コンピュータを、さらに、
前記情報処理装置周辺の地図情報を記憶する地図情報記憶手段と、
前記情報処理装置の現在位置を取得する位置取得手段と、
記憶された前記地図情報を用いて、取得した前記現在位置から、前記画像形成装置の設置場所までの順路を探索する順路探索手段と、として機能させ、
前記装置情報記憶手段は、さらに、前記画像形成装置の前記識別情報と、前記画像形成装置の設置場所を示す設置場所情報と、を対応付けて記憶し、
前記順路探索手段は、記憶された前記地図情報を用いて、取得した前記現在位置から、検索された前記識別情報と対応付けて記憶された前記設置場所情報が示す前記画像形成装置の設置場所までの順路を探索し、
前記表示手段は、さらに、検索された前記識別情報と対応付けて記憶された前記設置場所情報が示す設置場所、および探索された順路を表示することを特徴とする請求項１１に記載のプログラム。
【請求項１３】
前記表示手段は、複数の前記識別情報が検索された場合、当該複数の識別情報、当該複数の識別情報と対応付けて記憶された前記設置場所情報が示す設置場所、および探索された順路のうち、最短の順路を表示することを特徴とする請求項１２に記載のプログラム。
【請求項１４】
前記コンピュータを、さらに、
印刷対象の画像データを記憶するデータ記憶手段と、
前記画像形成装置に前記画像データを送信して印刷処理を実行する場合、前記識別情報が表示された前記画像形成装置の中から印刷処理を実行する前記画像形成装置を確定する確定手段と、
前記データ記憶手段から、確定した前記画像形成装置に送信する前記画像データを選択する選択手段と、
選択された前記画像データおよび決定した前記印刷モードを、確定した前記画像形成装置に送信する送信手段と、
として機能させる請求項１１から１３のいずれか一に記載のプログラム。
【請求項１５】
前記コンピュータを、さらに、
前記画像形成装置が備える操作部から前記画像データの印刷処理を指示する場合、前記識別情報が表示された前記画像形成装置の中から印刷処理を実行する前記画像形成装置を確定する確定手段と、
決定した前記印刷モードに印刷番号を採番する採番手段と、
決定した前記印刷モードおよび当該印刷モードに採番された前記印刷番号を確定した前記画像形成装置に送信する送信手段と、
として機能させる請求項１１から１３のいずれか一に記載のプログラム。
【発明の詳細な説明】
【技術分野】
【０００１】
本発明は、情報処理装置、画像形成システム、およびプログラムに関するものである。
【背景技術】
【０００２】
近年、プリンタ、コピー機、ファクシミリ装置、またはこれらの複合機などの画像形成装置は、多種多様な機能を有している。しかし、画像形成装置の機能の多種多様化が進むに従い、利用者は、画像形成装置が有する機能を全て把握することが困難になってきている。特に、ネットワークを介して複数の画像形成装置と接続されたホストコンピュータからは、各画像形成装置が有する機能を把握するのが極めて困難である。
【０００３】
このような問題を解決するものとして、利用者の使用環境に応じて画像形成装置の動作を変更可能とすることにより、利用者の使用環境に適合した利用し易い画像形成装置が開示されている（特許文献１参照）。特許文献１にかかる画像形成装置では、使用環境に応じた制御を行う制御部を備え、画像形成装置の所定の動作を制御部によって使用環境に応じた動作に変更する。
【０００４】
【特許文献１】特開２００２−１６６６３１号公報
【発明の開示】
【発明が解決しようとする課題】
【０００５】
しかしながら、上記特許文献１に記載された技術では、利用者が希望する使用環境に対応する動作が困難である場合、印刷ジョブの実行時に、利用者に対して変更する動作の対象やその内容が伝えられる。そのため、利用者は、ホストコンピュータから画像形成装置に対して印刷ジョブを要求する前に、イメージする仕上がりの印刷処理を実行するための機能を画像形成装置が有しているか否かを把握することができない。したがって、利用者は、希望する機能を実行できる画像形成装置に対して印刷ジョブを要求することができないという問題がある。
【０００６】
本発明は、上記に鑑みてなされたものであって、利用者が周辺の環境を熟知することなく幅広いバリエーションの印刷を行うことができるので、画像形成装置の利便性を大幅に向上させることができる情報処理装置、画像形成システム、およびプログラムを提供することを目的とする。
【課題を解決するための手段】
【０００７】
上述した課題を解決し、目的を達成するために、請求項１にかかる発明は、印刷処理を実行する画像形成装置を少なくとも２以上接続可能な情報処理装置であって、前記各画像形成装置が有する機能を示す機能情報と、前記各画像形成装置の識別情報と、を対応付けて記憶する装置情報記憶手段と、所望の仕上がりの印刷処理を実行するための機能を指定する印刷モードを決定する決定手段と、前記装置情報記憶手段に記憶された前記識別情報の中から、決定した前記印刷モードにより指定される機能を示す前記機能情報と対応付けて記憶された前記識別情報を検索する検索手段と、検索された前記識別情報を表示する表示手段と、を備えたことを特徴とする。
【０００８】
また、請求項２にかかる発明は、請求項１にかかる発明において、前記情報処理装置周辺の地図情報を記憶する地図情報記憶手段と、前記情報処理装置の現在位置を取得する位置取得手段と、記憶された前記地図情報を用いて、取得した前記現在位置から、前記画像形成装置の設置場所までの順路を探索する順路探索手段と、をさらに備え、前記装置情報記憶手段は、さらに、前記画像形成装置の前記識別情報と、前記画像形成装置の設置場所を示す設置場所情報と、を対応付けて記憶し、前記順路探索手段は、記憶された前記地図情報を用いて、取得した前記現在位置から、検索された前記識別情報と対応付けて記憶された前記設置場所情報が示す前記画像形成装置の設置場所までの順路を探索し、前記表示手段は、さらに、検索された前記識別情報と対応付けて記憶された前記設置場所情報が示す設置場所、および探索された順路を表示することを特徴とする。
【０００９】
また、請求項３にかかる発明は、請求項２にかかる発明において、前記表示手段は、複数の前記識別情報が検索された場合、当該複数の識別情報、当該複数の識別情報と対応付けて記憶された前記設置場所情報が示す設置場所、および探索された順路のうち、最短の順路を表示することを特徴とする。
【００１０】
また、請求項４にかかる発明は、請求項１から３のいずれか一にかかる発明において、印刷対象の画像データを記憶するデータ記憶手段と、前記画像形成装置に前記画像データを送信して印刷処理を実行する場合、前記識別情報が表示された前記画像形成装置の中から印刷処理を実行する前記画像形成装置を確定する確定手段と、前記データ記憶手段から、確定した前記画像形成装置に送信する前記画像データを選択する選択手段と、選択された前記画像データおよび決定した前記印刷モードを、確定した前記画像形成装置に送信する送信手段と、をさらに備えたことを特徴とする。
【００１１】
また、請求項５にかかる発明は、請求項１から３のいずれか一にかかる発明において、前記画像形成装置が備える操作部から前記画像データの印刷処理を指示する場合、前記識別情報が表示された前記画像形成装置の中から印刷処理を実行する前記画像形成装置を確定する確定手段と、決定した前記印刷モードに印刷番号を採番する採番手段と、決定した前記印刷モードおよび当該印刷モードに採番された前記印刷番号を確定した前記画像形成装置に送信する送信手段と、を備えたことを特徴とする。
【００１２】
また、請求項６にかかる発明は、印刷処理を実行する複数の画像形成装置と、前記画像形成装置を少なくとも２以上接続可能な情報処理装置と、を備えた画像形成システムであって、前記画像形成装置は、当該画像形成装置が有する機能を示す機能情報と、当該画像形成装置の識別情報と、を前記情報処理装置に送信する送信手段と、前記情報処理装置は、前記各画像形成装置から送信された前記機能情報および識別情報を受信する受信手段と、受信した前記各画像形成装置の前記機能情報と前記識別情報とを対応付けて記憶する装置情報記憶手段と、所望の仕上がりの印刷処理を実行するための機能を指定する印刷モードを決定する決定手段と、前記装置情報記憶手段に記憶された前記識別情報の中から、決定した前記印刷モードにより指定される機能を示す前記機能情報と対応付けられた前記識別情報を検索する検索手段と、検索された前記識別情報を表示する表示手段と、を備えたことを特徴とする。
【００１３】
また、請求項７にかかる発明は、請求項６にかかる発明において、前記画像形成装置は、前記送信手段は、さらに、当該画像形成装置の設置場所を示す設置場所情報を前記情報処理装置に送信し、前記情報処理装置は、前記情報処理装置周辺の地図情報を記憶する地図情報記憶手段と、前記情報処理装置の現在位置を取得する位置取得手段と、記憶された前記地図情報を用いて、取得した前記現在位置から、前記画像形成装置の設置場所までの順路を探索する順路探索手段と、をさらに備え、前記受信手段は、さらに、前記画像形成装置から前記設置場所情報を受信し、前記装置情報記憶手段は、さらに、前記識別情報と、受信した前記設置場所情報と、を対応付けて記憶し、前記順路探索手段は、記憶された前記地図情報を用いて、取得した前記現在位置から、検索された前記識別情報と対応付けて記憶された前記設置場所情報が示す前記画像形成装置の設置場所までの順路を探索し、前記表示手段は、さらに、検索された前記識別情報と対応付けて記憶された前記設置場所情報が示す設置場所、および探索された順路を表示することを特徴とする。
【００１４】
また、請求項８にかかる発明は、請求項７にかかる発明において、前記情報処理装置は、前記表示手段は、複数の前記識別情報が検索された場合、当該複数の識別情報、当該複数の識別情報と対応付けて記憶された前記設置場所情報が示す設置場所、および探索された順路のうち、最短の順路を表示することを特徴とする。
【００１５】
また、請求項９にかかる発明は、請求項６から８のいずれか一にかかる発明において、前記情報処理装置は、印刷対象の画像データを記憶するデータ記憶手段と、前記画像形成装置に前記画像データを送信して印刷処理を実行する場合、前記識別情報が表示された前記画像形成装置の中から印刷処理を実行する前記画像形成装置を確定する確定手段と、前記データ記憶手段から、確定した前記画像形成装置に送信する前記画像データを選択する選択手段と、選択された前記画像データおよび決定した前記印刷モードを、確定した前記画像形成装置に送信する送信手段と、をさらに備え、前記画像形成装置は、前記情報処理装置から送信された前記画像データおよび前記印刷モードを受信する受信手段と、受信した前記印刷モードにより指定される機能を用いて、前記画像データの印刷処理を実行する印刷手段と、をさらに備えたことを特徴とする。
【００１６】
また、請求項１０にかかる発明は、請求項６から８のいずれか一にかかる発明において、前記情報処理装置は、前記画像形成装置が備える操作部から前記画像データの印刷処理を指示する場合、前記識別情報が表示された前記画像形成装置の中から印刷処理を実行する前記画像形成装置を確定する確定手段と、決定した前記印刷モードに印刷番号を採番する採番手段と、決定した前記印刷モードおよび当該印刷モードに採番された前記印刷番号を確定した前記画像形成装置に送信する送信手段と、をさらに備え、前記画像形成装置は、前記情報処理装置から送信された前記印刷モードおよび当該印刷モードに採番された印刷番号を受信する受信手段と、受信した前記印刷モードと前記印刷番号とを対応付けて記憶する記憶手段と、印刷番号の入力を受け付ける入力手段と、前記記憶手段に記憶された前記印刷番号の中から、入力された印刷番号と同一の印刷番号を検索する検索手段と、検索された印刷番号と対応付けて記憶された前記印刷モードにより指定される機能を用いて、前記画像データの印刷処理を実行する印刷手段と、をさらに備えたことを特徴とする。
【００１７】
また、請求項１１にかかる発明は、印刷処理を実行する画像形成装置を少なくとも２以上接続可能な情報処理装置を制御するコンピュータを、前記各画像形成装置が有する機能を示す機能情報と、前記各画像形成装置の識別情報と、を対応付けて記憶する装置情報記憶手段と、所望の仕上がりの印刷処理を実行するための機能を指定する印刷モードを決定する決定手段と、前記装置情報記憶手段に記憶された前記識別情報の中から、決定した前記印刷モードにより指定される機能を示す前記機能情報と対応付けて記憶された前記識別情報を検索する検索手段と、検索された前記識別情報を表示する表示手段と、として機能させる。
【００１８】
また、請求項１２にかかる発明は、請求項１１にかかる発明において、前記コンピュータを、さらに、前記情報処理装置周辺の地図情報を記憶する地図情報記憶手段と、前記情報処理装置の現在位置を取得する位置取得手段と、記憶された前記地図情報を用いて、取得した前記現在位置から、前記画像形成装置の設置場所までの順路を探索する順路探索手段と、として機能させ、前記装置情報記憶手段は、さらに、前記画像形成装置の前記識別情報と、前記画像形成装置の設置場所を示す設置場所情報と、を対応付けて記憶し、前記順路探索手段は、記憶された前記地図情報を用いて、取得した前記現在位置から、検索された前記識別情報と対応付けて記憶された前記設置場所情報が示す前記画像形成装置の設置場所までの順路を探索し、前記表示手段は、さらに、検索された前記識別情報と対応付けて記憶された前記設置場所情報が示す設置場所、および探索された順路を表示することを特徴とする。
【００１９】
また、請求項１３にかかる発明は、請求項１２にかかる発明において、前記表示手段は、複数の前記識別情報が検索された場合、当該複数の識別情報、当該複数の識別情報と対応付けて記憶された前記設置場所情報が示す設置場所、および探索された順路のうち、最短の順路を表示することを特徴とする。
【００２０】
また、請求項１４にかかる発明は、請求項１１から１３のいずれか一にかかる発明において、前記コンピュータを、さらに、印刷対象の画像データを記憶するデータ記憶手段と、前記画像形成装置に前記画像データを送信して印刷処理を実行する場合、前記識別情報が表示された前記画像形成装置の中から印刷処理を実行する前記画像形成装置を確定する確定手段と、前記データ記憶手段から、確定した前記画像形成装置に送信する前記画像データを選択する選択手段と、選択された前記画像データおよび決定した前記印刷モードを、確定した前記画像形成装置に送信する送信手段と、として機能させる。
【００２１】
また、請求項１５にかかる発明は、請求項１１から１３のいずれか一にかかる発明において、前記コンピュータを、さらに、前記画像形成装置が備える操作部から前記画像データの印刷処理を指示する場合、前記識別情報が表示された前記画像形成装置の中から印刷処理を実行する前記画像形成装置を確定する確定手段と、決定した前記印刷モードに印刷番号を採番する採番手段と、決定した前記印刷モードおよび当該印刷モードに採番された前記印刷番号を確定した前記画像形成装置に送信する送信手段と、として機能させる。
【発明の効果】
【００２２】
本発明によれば、各画像形成装置が有する機能を示す機能情報と、各画像形成装置の識別情報と、を対応付けて記憶する装置情報記憶手段を備え、所望の仕上がりの印刷処理を実行する機能を指定する印刷モードを決定し、装置情報記憶手段に記憶された識別情報の中から、決定した印刷モードにより指定される機能を示す機能情報と対応付けて記憶された識別情報を検索し、検索された識別情報を表示することにより、ネットワーク上の画像形成装置群から利用者が希望する仕上がりの印刷を実行することができる画像形成装置を選択して案内することができるので、利用者が周辺の環境を熟知することなく幅広いバリエーションの印刷を行うことができるので、画像形成装置選択時の利便性を大幅に向上させることができる、という効果を奏する。
【発明を実施するための最良の形態】
【００２３】
以下に添付図面を参照して、この発明にかかる情報処理装置、画像形成システム、およびプログラムの最良な実施の形態を詳細に説明する。以下の実施の形態では、本発明にかかる情報処理装置をパーソナルコンピュータ（ＰＣ）に適用した例を示す。但し、パーソナルコンピュータに限られず、画像形成装置に接続されていれば、携帯端末、スキャナ等にも本発明を適用することができる。また、本発明の画像形成装置は、プリンタ機能、スキャナ機能、ファックス機能、およびコピー機能を一つの筐体に収納した複合機に適用した例を示す。但し、複合機に限られず、ファクシミリ、プリンタ、コピー機等の画像処理を行うものであれば、本発明を適用することができる。
【００２４】
（第１の実施の形態）
図１は、本実施の形態にかかる画像形成システムの構成を示すブロック図である。本実施の形態にかかる画像形成システム１００は、ＰＣ１０１，１０２と、携帯端末１０３と、複合機１０４〜１０６と、スキャナ１０７と、がネットワーク１０８を介して接続されて構成される。例えば、ＰＣ１０１，１０２および携帯端末１０３は、スキャナ１０７で読み取った画像に基づいて、印刷対象の画像データを生成し、画像データに従って印刷処理を実行する少なくとも１つの複合機に画像データを送信する。複合機１０４〜１０６は、受信した画像データに従って印刷処理を実行する。
【００２５】
図２は、本実施の形態にかかる複合機の構成を示すブロック図である。なお、以下の説明では、複合機１０４の構成・機能について説明するが、複合機１０５，１０６にも同様の構成・機能を適用することができる。本実施の形態にかかる複合機１０４は、複合機の主要部であって各部を集中的に制御するＣＰＵ（Central  Processing  Unit）２０１を備えている。このＣＰＵ２０１には、ＢＩＯＳなどを記憶した読出し専用メモリであるＲＯＭ（Read  Only  Memory）２０２と、各種データを書換え可能に記憶するＲＡＭ（Random  Access  Memory）２０３とがバス２０９で接続されている。
【００２６】
さらにバス２０９には、各種のプログラム等を格納するＮＶ−ＲＡＭ（Non  Volatile  RAM）である記憶部２０４と、ネットワーク１０８との通信を司るネットワークインターフェース２０５と、各種操作指示を行うスイッチおよび各種情報を表示するインジケータ（ＣＲＴ（Cathode  Ray  Tube）やＬＣＤ（Liquid  Crystal  Display）など表示器、スピーカー等）を備えた操作表示部２０６と、複合機１０４が備えるプリンタ機能、ファックス機能、およびコピー機能における印刷出力手段であり、レーザ方式、ＬＥＤ方式、インクジェット方式等の作像方式により印刷を行うプリンタエンジン２０７と、複合機１０４が備えるファックス機能およびコピー機能における読取手段であるスキャナエンジン２０８と、が図示しないＩ／Ｏを介して接続されている。
【００２７】
ＲＡＭ２０３は、各種データを書換え可能に記憶する性質を有していることから、ＣＰＵ２０１の作業エリアとして機能してバッファ等の役割を果たす。
【００２８】
ＲＯＭ２０２は、この発明の記憶媒体を実施するものであり、ＯＳ（Operating  System）や各種のプログラムが記憶されている。
【００２９】
なお、記憶媒体としては、ＲＯＭ２０２のみならずＤＶＤなどの各種の光ディスク、各種光磁気ディスク、フレキシブルディスクなどの各種磁気ディスク等、半導体メモリ等の各種方式のメディアを用いることができる。また、ネットワークインターフェース２０５を介してインターネットなどのネットワーク１０８からプログラムをダウンロードし、記憶部２０４にインストールするようにしてもよい。この場合に、送信側のサーバでプログラムを記憶している記憶装置も、この発明の記憶媒体である。なお、プログラムは、所定のＯＳ上で動作するものであってもよいし、所定のアプリケーションソフトやＯＳなどを構成する一群のプログラムファイルの一部として含まれるものであってもよい。
【００３０】
このシステム全体の動作を制御するＣＰＵ２０１は、このシステムの主記憶装置として使用されるＲＯＭ２０２に記憶されたプログラムに基づいて各種処理を実行する。ここで、複合機１０４のＲＯＭ２０２に記憶された各種のプログラムがＣＰＵ２０１に実行させる機能のうち、本実施の形態にかかる複合機１０４が備える特長的な機能について説明する。
【００３１】
本実施の形態にかかる複合機１０４は、画像形成プログラムに従うことにより、送通信部を実現する。送信部は、ネットワークインターフェース２０５を介して、複合機１０４が有する機能を示す機能情報および当該複合機１０４の識別情報をＰＣ１０１，１０２および携帯端末１０３に送信する。ここで、機能情報とは、複合機１０４が有する機能の機能名や機能の内容等であり、例えば、転写紙サイズ（Ａ３、Ａ４、Ａ５、Ｂ４、Ｂ５など）、折り機能（２つ折り、３つ折り、４つ折りなど）、ステープル機能（中、左上、右上など）、パンチ機能（２穴など）等である。また、識別情報とは、複合機１０４の機種名、ＩＰアドレス等である。本実施の形態では、複合機１０４の電源が投入されると、記憶部２０４に予め記憶されたＰＣ１０１，１０２、携帯端末１０３のＩＰアドレスを参照して、機能情報および識別情報を、ＰＣ１０１，１０２、携帯端末１０３に送信する。
【００３２】
図３は、本実施の形態にかかるＰＣの構成を示すブロック図である。なお、以下の説明では、ＰＣ１０１の構成・機能について説明するが、ＰＣ１０２および携帯端末１０３にも同様の構成・機能を適用することができる。本実施の形態にかかるＰＣ１０１は、コンピュータの主要部であって各部を集中的に制御するＣＰＵ３０１を備えている。このＣＰＵ３０１は、ＢＩＯＳなどを記憶した読出し専用メモリであるＲＯＭ３０２と、各種データを書換え可能に記憶するＲＡＭ３０３とがバス３１０にて接続されている。
【００３３】
さらにバス３１０には、各種のプログラム等を格納するＨＤＤである記憶部３０４と、配布されたプログラムであるコンピュータソフトウェアを読み取るための機構としてのＣＤ−ＲＯＭ３０５を読み取るＣＤ−ＲＯＭドライブ３０６と、ＰＣ１０１とネットワーク１０８との通信を司るネットワークインターフェース３０７と、各種操作指示を行うキーボードやマウスなどの入力装置３０８と、各種情報を表示するＣＲＴ、ＬＣＤなどの表示装置３０９とが、図示しないＩ／Ｏを介して接続されている。
【００３４】
ＲＡＭ３０３は、各種データを書換え可能に記憶する性質を有していることから、ＣＰＵ３０１の作業エリアとして機能してバッファ等の役割を果たす。
【００３５】
図３に示すＣＤ−ＲＯＭ３０５は、この発明の記憶媒体を実施するものであり、ＯＳや各種のプログラムが記憶されている。ＣＰＵ３０１は、ＣＤ−ＲＯＭ３０５に記憶されているプログラムをＣＤ−ＲＯＭドライブ３０６で読み取り、記憶部３０４にインストールする。
【００３６】
なお、記憶媒体としては、ＣＤ−ＲＯＭ３０５のみならずＤＶＤなどの各種の光ディスク、各種光磁気ディスク、フレキシブルディスクなどの各種磁気ディスク等、半導体メモリ等の各種方式のメディアを用いることができる。また、ネットワークインターフェース３０７を介してインターネットなどのネットワーク１０８からプログラムをダウンロードし、記憶部３０４にインストールするようにしてもよい。この場合に、送信側のサーバでプログラムを記憶している記憶装置も、この発明の記憶媒体である。なお、プログラムは、所定のＯＳ上で動作するものであってもよいし、所定のアプリケーションソフトやＯＳなどを構成する一群のプログラムファイルの一部として含まれるものであってもよい。
【００３７】
このシステム全体の動作を制御するＣＰＵ３０１は、このシステムの主記憶装置として使用される記憶部３０４上にロードされたプログラムに基づいて各種処理を実行する。
【００３８】
次に、ＰＣ１０１の記憶部３０４にインストールされている各種のプログラムがＣＰＵ３０１に実行させる機能のうち、本実施の形態にかかるＰＣ１０１が備える特長的な機能について説明する。
【００３９】
図４は、本実施の形態にかかるＰＣの機能構成を示すブロック図である。図５は、本実施の形態にかかるＰＣによる画像形成装置の案内処理の手順を示すフローチャートである。本実施の形態にかかるＰＣ１０１は、画像形成プログラムに従うことにより、受信部４０１、決定部４０２、検索部４０３、および表示部４０４を実現する。
【００４０】
まず、画像形成装置の案内処理の前に行われる処理にかかる構成について説明する。
【００４１】
受信部４０１は、ネットワークインターフェース３０７を介して、複合機１０４〜１０６等の画像形成装置群から送信された機能情報および識別情報を受信する。本実施の形態では、機能名および機種名を受信する。
【００４２】
また、受信部４０１は、受信した機能情報および識別情報を記憶部３０４に格納する。記憶部３０４（本発明にかかる装置情報記憶手段）は、機能情報と、識別情報と、を対応付けて記憶する。図６は、記憶部が記憶するテーブルの一例を示す説明図である。本実施の形態では、機能名（機能内容）と、機種名と、を対応付けるテーブルを記憶する。
【００４３】
次に、画像形成装置の案内処理にかかる構成について説明する。
【００４４】
決定部４０２は、所望の仕上がりの印刷処理を実行するための機能を指定する印刷モードを決定する。本実施の形態では、利用者との対話的Ｕ／Ｉにて、所望の仕上がりの印刷処理を実行する機能を指定する印刷モードを決定する（ステップＳ５０１）。ここで、印刷モードは、例えば、転写紙サイズ、折り機能、ステープル機能等、印刷処理の際に実行する機能を指定する情報である。図７は、対話的Ｕ／Ｉにて印刷モードにより指定する転写紙サイズを設定する画面の一例を示す説明図である。図８は、対話的Ｕ／Ｉにて印刷モードにより指定する後処理を設定する画面の一例を示す説明図である。決定部４０２は、図７および図８に示す画面を表示装置３０９に表示して、機能の設定を受け付け、受け付けた機能の設定に基づいて印刷モードを決定する。具体的には、図７に示す画面において、利用者は、入力装置３０８を操作して、画像データを印刷する転写紙の転写紙サイズを設定する。また、図８に示す画面において、利用者は、入力装置３０８を操作して、画像データの印刷処理において実行する後処理を設定する。
【００４５】
検索部４０３は、記憶部３０４に記憶された識別情報の中から、決定部４０２により決定した印刷モードにより指定される機能を示す機能情報と対応付けて記憶された識別情報を検索する。本実施の形態では、事前に取得してあるネットワーク１０８上の画像形成装置群の識別情報の中から、利用者が希望する印刷モードにより指定される機能を示す機能情報と対応付けて記憶される識別情報を検索する（ステップＳ５０２）。例えば、決定部４０２により印刷モード（転写紙サイズ：Ａ５、後処理：ステープル（左上））が決定された場合、検索部４０３は、図６に示すテーブルから、機種名が「カラー複写器５」の機能名（機能内容）を検索する。これにより、検索部４０３は、決定部４０２により決定された印刷モードにより指定される条件に合致する画像形成装置があるか否かを判断する（ステップＳ５０３）。
【００４６】
表示部４０４は、検索された識別情報を表示装置３０９に表示する。本実施の形態では、検索部４０３により印刷モードにより指定される条件に合致する画像形成装置があると判断された場合（ステップＳ５０３：Ｙｅｓ）、ステップＳ５０２において検索した画像形成装置の識別情報（機種名（名称））を表示装置３０９に表示する（ステップＳ５０４）。図９は、機種名を表示した画面の一例を示す説明図である。例えば、図９に示すように、印刷モード（転写紙サイズ：Ａ５、後処理：ステープル（左上））が決定された場合、表示部４０４は、「入力されたモードは、カラー複合機５で印刷可能です。」というメッセージを表示する。一方、決定したモードに合致する画像形成装置がないと判断された場合（ステップＳ５０３：Ｎｏ）、表示部４０４は、利用者が希望する仕上がりの印刷処理を実行できる機器がないこと示すメッセージを表示装置３０９に表示する（ステップＳ５０５）。
【００４７】
このように、本実施の形態にかかる情報処理装置１０１によれば、決定部４０２により所望の仕上がりの印刷処理を実行するための機能を指定する印刷モードを決定し、検索部４０３により記憶部３０４に記憶された識別情報の中から、決定した印刷モードにより指定される機能を示す機能情報と対応付けて記憶された識別情報を検索し、表示部４０４により検索された識別情報を表示することにより、ネットワーク１０８上の画像形成装置群から利用者が希望する仕上がりの印刷を実行することができる画像形成装置を選択して案内することができるので、利用者が周辺の環境を熟知することなく幅広いバリエーションの印刷を行うことができるので、画像形成装置選択時の利便性の大幅に向上させることができる。
【００４８】
（第２の実施の形態）
第２の実施の形態について、添付図面を参照して説明する。本実施の形態にかかる複合機の機能、構成は、第１の実施の形態とほぼ同一であるため、第１の実施の形態と異なる部分のみを説明する。本実施の形態にかかるＰＣは、利用者が希望する仕上がりの印刷処理を実行することができる画像形成装置の識別情報とともに、当該画像形成装置の設置場所および順路を表示する。
【００４９】
図１０は、本実施の形態にかかる複合機の構成を示すブロック図である。なお、本実施の形態にかかる複合機１００１の構成は、ＧＰＳ部１００２が追加された点以外は上述した実施の形態と同様である。
【００５０】
ＧＰＳ部１００２は、衛星測位システムを用いて地球上の現在位置を特定する。本実施の形態では、複合機１００１の電源が投入された場合に、ＧＰＳ部１００２が複合機１００１の地球上の現在位置を特定する。
【００５１】
本実施の形態にかかる複合機１００１は、第１の実施の形態と同様に、画像形成プログラムに従うことにより、送信部を実現する。送信部は、ネットワークインターフェース２０５を介して、機能情報および識別情報に加えて、ＧＰＳ部１００２により特定された複合機１００１の設置場所を設置場所情報としてＰＣに送信する。
【００５２】
図１１は、本実施の形態にかかるＰＣの構成を示すブロック図である。本実施の形態にかかるＰＣ１１０１の構成は、ＧＰＳ１１０２が追加された点および記憶部３０４以外は上述した実施の形態とほぼ同様である。
【００５３】
ＧＰＳ部１１０２は、衛星測位システムを用いて地球上の現在位置を特定する。本実施の形態では、ＰＣ１１０１の電源が投入された場合に、ＧＰＳ部１１０２がＰＣ１１０１の地球上の現在位置を特定する。
【００５４】
また、記憶部３０４（本発明にかかる地図情報記憶手段）は、ＰＣ１１０１周辺のマップ情報（本発明にかかる地図情報）を記憶する。なお、マップ情報は、ネットワーク１０８からダウンロードしても良いし、ＲＯＭ３０２に予め記憶されたものをインストールするようにしてもよい。
【００５５】
図１２は、本実施の形態にかかるＰＣの機能構成を示すブロック図である。図１３は、本実施の形態にかかるＰＣによる画像形成装置の案内処理の手順を示すフローチャートである。なお、本実施の形態にかかるＰＣ１１０１の機能構成は、位置取得部１２０２および順路探索部１２０３が追加された点、受信部１２０１および表示部１２０４の処理が異なる点以外は上述した実施の形態とほぼ同様である。また、本実施の形態にかかる画像形成装置の案内処理の手順は、図５に示すフローチャートほぼ同様であるので、異なる部分のみ説明する。ステップＳ１３０１〜ステップＳ１３０５に示す処理は、図５を参照し、ここでの説明を省略する。
【００５６】
まず、画像形成装置の案内処理の前に行われる処理について説明する。
【００５７】
受信部１２０１は、ネットワークインターフェース３０７を介して、複合機１０４〜１０６から送信された機能情報、識別情報、および設置場所情報を受信する。また、受信部１２０１は、受信した機能情報、識別情報、および設置場所情報を記憶部３０４に格納する。記憶部３０４（本発明にかかる装置情報記憶手段）は、さらに、機能情報と、識別情報と、設置場所情報と、を対応付けて記憶する。
【００５８】
位置取得部１２０２は、ＰＣ１１０１の現在位置を取得する。本実施の形態では、ＧＰＳ部１１０２によって特定された地球上におけるＰＣ１１０１の現在位置を取得する。
【００５９】
次に、画像形成装置の案内処理について説明する。
【００６０】
表示部１２０４は、条件に合致した画像形成装置の設置場所情報とマップ情報から、機器の設置場所とＰＣ１１０１から当該設置場所までの順路を表示する（ステップＳ１３０６）。
【００６１】
具体的には、順路探索部１２０３は、記憶部３０４に記憶されたマップ情報を用いて、位置取得部１２０２によって取得したＰＣ１１０１の現在位置から画像形成装置の設置場所までの順路を探索する。本実施の形態では、印刷モードにより指定される条件に合致する画像形成装置があると判断された場合、取得したＰＣ１１０１の現在位置から、検索された識別情報と対応付けて記憶部３０４に記憶された設置場所情報が示す設置場所までの順路を探索する。なお、順路探索方法は、一般的なナビゲーションシステムにより行うものとし、ここでは説明を省略する。
【００６２】
表示部１２０４は、さらに、画像形成装置の識別情報に加えて、検索された機能情報と対応付けて記憶部３０４に記憶された設置場所情報が示す設置場所、および順路探索部１２０３によって探索された順路を表示する。図１４は、機種名、設置場所、および順路を表示した画面の一例を示す説明図である。図１４に示すように、本実施の形態では、符号１４０１で示す「入力されたモードは３Ｆフロアカラー複写機５で印刷可能です。」というメッセージ、符号１４０３で示す設置場所、および符号１４０２で示す順路を表示装置３０９に表示する。
【００６３】
このように、本実施の形態にかかるＰＣ１１０１によれば、印刷モードで指定される条件に合致する画像形成装置の機種名に加え、当該画像形成装置の設置場所およびそこまでの順路を表示することにより、ＰＣ１１０１から複合機１００１までの順路を分かりやすく表示することができる。
【００６４】
（第３の実施の形態）
第３の実施の形態について、添付図面を参照して説明する。本実施の形態にかかる複合機およびＰＣの機能、構成は、第２の実施の形態とほぼ同一であるため、第２の実施の形態と異なる部分のみを説明する。本実施の形態にかかるＰＣは、複数の識別情報が検索された場合、探索された順路のうち、最短の順路を表示する。
【００６５】
図１５は、本実施の形態にかかるＰＣによる画像形成装置の案内処理の手順を示すフローチャートである。なお、本実施の形態にかかる画像形成装置の案内処理の手順は、図１３に示すフローチャートほぼ同様であるので、異なる部分のみ説明する。ステップＳ１５０１〜ステップＳ１５０６に示す処理は、図１３を参照し、ここでの説明を省略する。
【００６６】
なお、本実施の形態にかかる検索部４０３は、識別情報の検索結果に応じて、表示部１２０４によって識別情報および設置場所が表示される度に、他にも条件に合致する画像形成装置があるか否かを判断する（ステップＳ１５０７）。
【００６７】
表示部１２０４は、複数の機能情報が検索された場合、当該複数の識別情報、当該複数の識別情報と対応付けて記憶された設置場所情報が示す設置場所、および探索された順路のうち、最短の順路を表示する。なお、探索された順路のうち、最短の順路を表示する処理も既に汎用されているナビゲーションシステムにより実現するものとする。
【００６８】
本実施の形態では、他にも条件に合致する画像形成装置があると判断された場合（ステップＳ１５０７：Ｙｅｓ）、ステップＳ１５０２において検索した識別情報と対応付けて画像形成装置の識別情報を表示装置３０９に追加表示する（ステップＳ１５０４）。さらに、表示部１２０４は、ステップＳ１５０２において検索した識別情報と対応付けて記憶部３０４に記憶された設置場所情報と、マップとから、画像形成装置の設置場所を追加で表示する（ステップＳ１５０６）。そして、表示部１２０４は、検索された全ての識別情報および当該識別情報と対応付けて記憶された設置場所情報が示す設置場所が表示されると（ステップＳ１５０７：Ｎｏ）、マップ情報から得た最も近い画像形成装置までの順路を表示する（ステップＳ１５０８）。
【００６９】
図１６は、機種名、設置場所、および順路を表示した画面の一例を示す説明図である。図１６に示すように、本実施の形態では、符号１６０１で示す機種名に加え、符号１６０２および符号１６０４で示す複数の画像形成装置の設置場所、および符号１６０３で示す最短の順路を表示する。
【００７０】
このように、本実施の形態にかかるＰＣ１２０１によれば、複数の識別情報が検索された場合であっても、最短の順路のみを表示することにより、利用者はＰＣ１１０１から画像形成装置までの移動距離を意識せずに最も近い画像形成装置を選択することができるので、より画像形成装置選択時の利便性を向上させることができる。
【００７１】
（第４の実施の形態）
第４の実施の形態について、添付図面を参照して説明する。本実施の形態にかかる複合機およびＰＣの機能、構成は、第３の実施の形態とほぼ同一であるため、第３の実施の形態と異なる部分のみを説明する。本実施の形態にかかるＰＣは、画像形成装置に画像データを送信して印刷処理の実行する場合（以下、プリンタ印刷とする）、画像データと共に、決定した印刷モードを、画像形成装置に送信する。従来は、プリンタ印刷を行う場合、出力先の画像形成装置のプリンタドライバを選択した後に、プリンタドライバの画面で印刷モードの設定を行っていた。そのため、他の出力先の画像形成装置のプリンタドライバにおいて他の印刷モードの設定が可能か否かを判断することができなかった。よって、必ずしも利用者が望む印刷モードで印刷処理を実行することができなかった。
【００７２】
図１７は、本実施の形態にかかるＰＣの機能構成を示すブロック図である。図１８は、本実施の形態にかかるＰＣによりプリンタ印刷を行う処理の手順を示すフローチャートである。なお、本実施の形態にかかるＰＣ１７０１の機能構成は、確定部１７０２、選択部１７０３、および送信部１７０４が追加された点以外は上述した実施の形態とほぼ同様である。
【００７３】
なお、記憶部３０４（本発明にかかるデータ記憶手段）は、印刷対象の画像データを記憶する。本実施の形態では、印刷対象の画像データをファイル単位で記憶しているものとする。よって、利用者は、ＰＣ１７０１からファイル単位で画像形成装置に対してプリンタ印刷を行う。
【００７４】
まず、上述した実施の形態により画像形成装置の案内処理が行われると（ステップＳ１８０１）、確定部１７０２は、プリンタ印刷を行う場合、識別情報が表示された画像形成装置の中から印刷処理を実行する画像形成装置を確定する（ステップＳ１８０２）。本実施の形態では、例えば、図１６に示す画面において、入力装置３０８を操作して画像形成装置（１６０２，１６０４）の中から選択された少なくとも１つの画像形成装置を、プリンタ印刷を行う画像形成装置として確定する。なお、確定部１７０２により画像形成装置が確定されなかった場合（ステップＳ１８０２：Ｎｏ）、プリンタ印刷は行われず、処理は終了する。
【００７５】
なお、プリンタ印刷を行う場合、利用者は、予めプリンタ印刷を行うことを設定しておくものとする。図１９は、プリンタ印刷を行うことを設定する画面の一例を示す説明図である。利用者は、入力装置３０８を操作して、符号１９０１で示す「はい」ボタンを押下することにより、プリンタ印刷を行うことを設定する。なお、プリンタ印刷を行うことの設定は、レジスタに保持される。確定部１７０２は、レジスタに格納された設定に基づいて、画像形成装置に対してプリンタ印刷を行うか否かを判断する。
【００７６】
選択部１７０３は、確定部１７０２により画像形成装置が確定された場合（ステップＳ１８０２：Ｙｅｓ）、記憶部３０４から、確定部１７０２により確定した画像形成装置に送信する画像データを選択する。本実施の形態では、記憶部３０４においてファイル単位で画像データが記憶されているため、送信するファイルを選択する。図２０は、送信するファイルを選択する画面の一例を示す説明図である。本実施の形態では、図２０に示す画面を表示装置３０９に表示して、ファイルの選択を受け付ける（ステップＳ１８０３、ステップＳ１８０４）。利用者は、入力装置３０８を操作して、符号２００１で示すカーソルを所望のファイル上に移動させ、当該ファイルの選択を指定する。なお、ファイルが選択されなかった場合には、プリンタ印刷は行われず終了する（ステップＳ１８０４：Ｎｏ）。
【００７７】
送信部１７０４は、選択部１７０３によりファイル（画像データ）が選択された場合（ステップＳ１８０４：Ｙｅｓ）、ネットワークインターフェース３０７を介して、選択部１７０３により選択された画像データおよび決定部４０２により決定した印刷モードを、確定部１７０２により確定した画像形成装置に送信する（ステップＳ１８０５）。これにより、送信部１７０４は、画像データの出力先の画像形成装置に対してプリンタ印刷の実行を指示する。本実施の形態では、機能情報を受信した画像形成装置のＩＰアドレスが記憶部３０４に予め格納されており、送信部１７０４は、記憶部３０４に格納されたＩＰアドレスを参照して、ファイルおよび印刷モードを画像形成装置に送信する。
【００７８】
なお、画像形成装置は、ＰＣ１７０１から画像データおよび印刷モードを受信し（本発明にかかる受信手段）、受信した印刷モードにより指定される機能を用いて画像データの印刷処理を実行する（本発明にかかる印刷手段）。
【００７９】
このように、本実施の形態にかかるＰＣ１７０１によれば、決定した印刷モードを有する画像形成装置に対して、画像データおよび印刷モードを送信して印刷処理を実行することができるので、必ず利用者が望む印刷モードで印刷処理を実行することができる。
【００８０】
（第５の実施の形態）
第５の実施の形態について、添付図面を参照して説明する。本実施の形態にかかる複合機およびＰＣの機能、構成は、第３の実施の形態とほぼ同一であるため、第３の実施の形態と異なる部分のみを説明する。本実施の形態にかかるＰＣは、画像形成装置が備える操作部を操作して画像データの印刷処理を実行する場合（以下、コピー印刷とする）、決定した印刷モードと当該印刷モードに採番された印刷番号を予め画像形成装置に送信する。これにより、コピー印刷を実行する場合、利用者は予め送信した印刷番号を入力して当該印刷番号と共に送信した印刷モードにより指定される機能を呼び出すことができるので、再度、画像形成装置を操作して機能を設定する手間を省くことができる。
【００８１】
図２１は、本実施の形態にかかるＰＣの機能構成を示すブロック図である。図２２は、本実施の形態にかかるＰＣによりコピー印刷を行う処理の手順を示すフローチャートである。なお、本実施の形態にかかるＰＣ２１０１の機能構成は、確定部２１０２、採番部２１０３、および送信部２１０４が追加された点以外は上述した実施の形態とほぼ同様である。
【００８２】
まず、上述した実施の形態により画像形成装置の案内処理が行われると（ステップＳ２１０１）、確定部２１０２は、コピー印刷を行う場合、識別情報が表示された画像形成装置の中から印刷処理を実行する画像形成装置を確定する（ステップＳ２２０２）。本実施の形態では、第４の実施の形態と同様に、図１６に示す画面において、入力装置３０８を操作して画像形成装置（１６０２，１６０４）の中から選択された画像形成装置を、コピー印刷を行う画像形成装置として確定する。
【００８３】
なお、コピー印刷を行う場合、利用者は、予めコピー印刷を行うことを設定しておくものとする。なお、コピー印刷を行う設定は、第４の実施の形態とほぼ同一の方法により設定するので、ここでは説明を省略する。
【００８４】
採番部２１０３は、決定部４０２により決定した印刷モードに印刷番号を採番する。本実施の形態では、決定部４０２により決定した印刷モードにユニークな数値を自動的に採番する。なお、決定した印刷モードに印刷番号が採番されると、表示部１２０４は、当該印刷モードに採番した印刷番号を表示装置３０９に表示する（ステップＳ２２０３）。図２３は、印刷番号が表示された画面の一例を示す説明図である。図２３に示す画面において、利用者は、決定した印刷モードに採番された印刷番号を確認することができる。
【００８５】
送信部２１０４は、ネットワークインターフェース３０７を介して、採番部２１０３により採番された印刷番号および決定部４０２により決定した印刷モードを、確定部２１０２により確定した画像形成装置に送信する（ステップＳ２２０４）。本実施の形態では、機能情報を受信した画像形成装置のＩＰアドレスが記憶部３０４に予め格納されており、送信部２１０４は、記憶部３０４に格納されたＩＰアドレスを参照して、印刷番号および印刷モードを画像形成装置に送信する。
【００８６】
図２４は、本実施の形態にかかる複合機の機能構成を示すブロック図である。図２５は、本実施の形態にかかる複合機によるコピー印刷処理の手順を示すフローチャートである。本実施の形態にかかる複合機２４０１は、画像形成プログラムに従うことにより、受信部２４０２、入力部２４０３、検索部２４０４、表示部２４０５、および印刷部２４０６を実現する。
【００８７】
まず、コピー印刷処理の前に行われる処理にかかる構成について説明する。
【００８８】
受信部２４０２は、ネットワークインターフェース２０５を介して、ＰＣ２１０１から送信された印刷モードおよび当該印刷モードに採番された印刷番号を受信する。また、受信部２４０２は、受信した印刷番号および印刷モードを記憶部２０４に格納する。記憶部２０４は、受信した印刷番号と印刷モードとを対応付けて記憶する。
【００８９】
次に、コピー印刷処理にかかる構成について説明する。
【００９０】
入力部２４０３は、印刷番号の入力を受け付ける。図２６は、印刷番号の入力を受け付ける画面の一例を示す説明図である。本実施の形態では、図２６に示す画面を操作表示部２０６に表示して（ステップＳ２５０１）、利用者による印刷番号の入力を受け付ける（ステップＳ２５０２）。
【００９１】
検索部２４０４は、記憶部２０４に記憶された印刷番号の中から、入力された印刷番号と同一の印刷番号を検索する。これにより、検索部２４０４は、入力された印刷番号が受信部２４０２によって受信されているか否かを判断する（ステップＳ２５０３）。
【００９２】
入力された印刷番号が受信されていないと判断された場合（ステップＳ２５０３：Ｎｏ）、表示部２４０５は、ＰＣ２１０１から印刷モードの指示を受けてないことを操作表示部２０６に表示する（ステップＳ２５０５）。
【００９３】
一方、入力された印刷番号を受信していると判断された場合（ステップＳ２５０３：Ｙｅｓ）、印刷部２４０６は、検索された印刷番号と対応付けて記憶された印刷モードにより指定される機能を用いて画像データの印刷処理を実行する。本実施の形態では、入力された印刷番号を受信していると判断された場合、スキャナエンジン２０８により図示しない原稿台にセットされた原稿を読み取り、読み取った画像データを一旦ＲＡＭ２０３に展開する。次いで、印刷部２４０６は、受信した印刷番号と対応付けて記憶された印刷モードを読み出し、当該印刷モードにより指定される機能を用いて、ＲＡＭ２０３に展開された画像データの印刷処理を実行する(ステップＳ２５０４)。
【００９４】
なお、印刷部２４０６は、画像データの印刷処理を終えると、記憶部２０４に記憶された印刷番号および印刷モードを破棄するものとする。若しくは、利用者が操作表示部２０６を介して、記憶部２０４に記憶された印刷番号および印刷モードの破棄を指示するようにしてもよい。
【００９５】
このように、本実施の形態にかかる画像形成システムによれば、ＰＣ２１０２から予め印刷番号および印刷モードを複合機２４０１に送っておき、コピー印刷を実行する際、印刷番号を入力することにより、当該印刷番号と対応付けて記憶された印刷モードによりコピー印刷を実行することができるので、利用者が複合機２４０１を操作して印刷モードを設定する手間を省くことができる。
【図面の簡単な説明】
【００９６】
【図１】第１の実施の形態にかかる画像形成システムの構成を示すブロック図である。
【図２】第１の実施の形態にかかる複合機の構成を示すブロック図である。
【図３】第１の実施の形態にかかるＰＣの構成を示すブロック図である。
【図４】第１の実施の形態にかかるＰＣの機能構成を示すブロック図である。
【図５】第１の実施の形態にかかるＰＣによる画像形成装置の案内処理の手順を示すフローチャートである。
【図６】記憶部が記憶するテーブルの一例を示す説明図である。
【図７】対話的Ｕ／Ｉにて印刷モードにより指定する転写紙サイズを設定する画面の一例を示す説明図である。
【図８】対話的にＵ／Ｉにて印刷モードにより指定する後処理を設定する画面の一例を示す説明図である。
【図９】機種名を表示した画面の一例を示す説明図である。
【図１０】第２の実施の形態にかかる複合機の構成を示すブロック図である。
【図１１】第２の実施の形態にかかるＰＣの構成を示すブロック図である。
【図１２】第２の実施の形態にかかるＰＣの機能構成を示すブロック図である。
【図１３】第２の実施の形態にかかるＰＣによる画像形成装置の案内処理の手順を示すフローチャートである。
【図１４】機種名、設置場所、および順路を表示した画面の一例を示す説明図である。
【図１５】第３の実施の形態にかかるＰＣによる画像形成装置の案内処理の手順を示すフローチャートである。
【図１６】機種名、設置場所、および順路を表示した画面の一例を示す説明図である。
【図１７】第４の実施の形態にかかるＰＣの機能構成を示すブロック図である。
【図１８】第４の実施の形態にかかるＰＣによりプリンタ印刷を行う処理の手順を示すフローチャートである。
【図１９】プリンタ印刷を行うことを設定する画面の一例を示す説明図である。
【図２０】送信するファイルを選択する画面の一例を示す説明図である。
【図２１】第５の実施の形態にかかるＰＣの機能構成を示すブロック図である。
【図２２】第５の実施の形態にかかるＰＣによりコピー印刷を行う処理の手順を示すフローチャートである。
【図２３】印刷番号が表示された画面の一例を示す説明図である。
【図２４】第５の実施の形態にかかる複合機の機能構成を示すブロック図である。
【図２５】第５の実施の形態にかかる複合機によるコピー印刷処理の手順を示すフローチャートである。
【図２６】印刷番号の入力を受け付ける画面の一例を示す説明図である。
【符号の説明】
【００９７】
１００  画像形成システム
１０１，１０２，１１０１，１７０１，２１０１  ＰＣ
１０３  携帯端末
１０４，１０５，１０６，１００１，２４０１  複合機
１０７  スキャナ
２０１，３０１  ＣＰＵ
２０２，３０２  ＲＯＭ
２０３，３０３  ＲＡＭ
２０４，３０４  記憶部
２０５，３０７  ネットワークインターフェース
２０６  操作表示部
２０７  プリンタエンジン
２０８  スキャナエンジン
２０９，３１０  バス
３０５  ＣＤ−ＲＯＭ
３０６  ＣＤ−ＲＯＭドライブ
３０８  入力装置
３０９  表示装置
４０１，２４０２  受信部
４０２  決定部
４０３，２４０４  検索部
４０４，１２０４，２４０５  表示部
１００２，１１０２  ＧＰＳ部
１２０２  位置取得部
１２０３  順路探索部
１７０２，２１０２  確定部
１７０３  選択部
１７０４，２１０４  送信部
２１０３  採番部
２４０６  印刷部
【図１】
2010108175.tif 000003
【図２】
2010108175.tif 000004
【図３】
2010108175.tif 000005
【図４】
2010108175.tif 000006
【図５】
2010108175.tif 000007
【図６】
2010108175.tif 000008
【図７】
2010108175.tif 000009
【図８】
2010108175.tif 000010
【図９】
2010108175.tif 000011
【図１０】
2010108175.tif 000012
【図１１】
2010108175.tif 000013
【図１２】
2010108175.tif 000014
【図１３】
2010108175.tif 000015
【図１４】
2010108175.tif 000016
【図１５】
2010108175.tif 000017
【図１６】
2010108175.tif 000018
【図１７】
2010108175.tif 000019
【図１８】
2010108175.tif 000020
【図１９】
2010108175.tif 000021
【図２０】
2010108175.tif 000022
【図２１】
2010108175.tif 000023
【図２２】
2010108175.tif 000024
【図２３】
2010108175.tif 000025
【図２４】
2010108175.tif 000026
【図２５】
2010108175.tif 000027
【図２６】
2010108175.tif 000028